(57)【要約】【課題】  従来の技術においては、風呂のお湯を単にマットの中に入れ温めるもので、本発明のような、切替レバーにより温水を浴槽内やマット内に入れることができ、マット内の温水は浴槽内に入れる等の機能・効果は見られない。また、別の従来技術においては、浴槽内の温水をセンサーにて循環ポンプを作動させて温水マットを温めるもので、これもまた、本発明のような、切替レバーにより温水を直接浴槽内やマット内を通って浴槽内に入れることができ、マット内の温水は浴槽内に入れる等の機能・効果はない。【解決手段】  浴室床に使用する暖房マットで、マットと切替器より構成され、マットは内部にパイプを蛇行状に形成し、保温材を設けると共に、ホースの一端を切替器に取り付け、ホースの他端をマットに取り付け、切替レバーにて温水をホース内に流入させマットを温め、再度切替レバーにて直接温水を浴槽内に入れることを特徴とする。【選択図】図１
2019213834.tif 000002
【特許請求の範囲】
【請求項１】
浴室床に使用する暖房マットで、マットと切替器より構成され、マットは内部にパイプを蛇行状に形成し、保温材を設けると共に、ホースの一端を切替器に取り付け、ホースの他端をマットに取り付け、切替レバーにて温水をホース内に流入させマットを温めた後、浴槽内に温水を入れ、再度切替レバーにて直接温水を浴槽内に入れることを特徴とする浴室用床暖房マット。
【請求項２】
前記切替器を、水栓本体と吐水パイプの連結部に取り付けてなることを特徴とする請求項１記載の浴室用床暖房マット。
【請求項３】
前記ホースは、流入ホースと排出ホースで構成されることを特徴とする請求項１又は２記載の浴室用床暖房マット。
【請求項４】
前記切替器は、切替レバーにより、水栓本体から流入する温水を流水ホースに流入させる流入孔と、マット内のパイプを通って温水を排出させる排水ホースからの温水を排出し、吐水パイプの流入させるための吐水孔を設けると共に、水栓本体から流入する温水を直接吐水パイプに送る送水孔を設けたレバー本体と、レバー本体を内設すべく流入孔に連通する入孔及び出孔を設けると共に、吐水孔に連通する吐入孔及び吐出孔を設けてなり、上部に水栓本体との水栓連結部と下部に吐水パイプ連結部を設けてなる切替本体とからなることを特徴とする請求項１、２又は３記載の浴室用床暖房マット。
【発明の詳細な説明】
【技術分野】
【０００１】  本発明は、浴室の床に設ける浴室用床暖房マットに関するものである。
【背景技術】
【０００２】  従来の技術としては、風呂用マットは、マット本体と、マット本体内に埋設される流体通路用のチューブと、チューブの両端に装着される流入用管接続具、流出用管接続具とを有して構成される。流入用管接続具には、吸盤を付近に装着した注ぎ口が配管され、流出用管接続具には、蛇口が配管される。そして、吸盤を浴槽に吸着させ、蛇口を排出口付近に配置させることによって、浴槽内の湯を注ぎ口から注入してマット本体内に埋設するチューブを通って蛇口から排出させたり、又はマット本体内に貯留させるものがある。（特許文献１参照）【０００３】  別の従来技術としては、温水マットと、この温水マットに接続された投げ込みホースと、この投げ込みホースを介して浴槽内の温水を温水マットとの間で循環供給する循環ポンプとを備える。さらに、湯温を検出する温度センサと、この温度センサによって検出された湯温が一定の温度以上である場合に循環ポンプを駆動するように制御する循環制御手段とを設ける。これにより、温水マットを浴室や脱衣室に敷設し、投げ込みホースを浴槽内に設置するだけで、浴室や脱衣室を足許から温めて快適性を高められるものがある。（特許文献２参照）
【先行技術文献】
【特許文献】
【０００４】
【特許文献１】特開２００３−４７５６８号公報
【特許文献２】特開平１１−２５７６７９号公報
【発明の概要】
【発明が解決しようとする課題】
【０００５】  上記前者においては、風呂のお湯を単にマットの中に入れ温めるもので、本発明のような、切替レバーにより温水を浴槽内やマット内に入れることができ、マット内の温水は浴槽内に入れる等の機能・効果は見られない。【０００６】  また、前記後者においては、浴槽内の温水をセンサーにて循環ポンプを作動させて温水マットを温めるもので、これもまた、本発明のような、切替レバーにより温水を浴槽内やマット内に入れることができ、マット内の温水は浴槽内に入れる等の機能・効果はない。【０００７】  本発明は、このような従来の構成が有していた問題を解決しようとするもので、マットと切替レバーという構成により、マット内にも浴槽内にも温水を流入させることができ、無駄なく温水を利用することができる浴室用床暖房マットを提供することを目的とする。
【課題を解決するための手段】
【０００８】  本発明は上記目的を達成するために、浴室床に使用する暖房マットで、マットと切替器より構成され、マットは内部にパイプを蛇行状に形成し、保温材を設けると共に、ホースの一端を切替器に取り付け、ホースの他端をマットに取り付け、切替レバーにて温水をホース内に流入させマットを温めた後、浴槽内に温水を入れ、再度切替レバーにて直接温水を浴槽内に入れること。前記切替器を、水栓本体と吐水パイプの連結部に取り付けてなること。前記ホースは、流入ホースと排出ホースで構成されること。前記切替器は、切替レバーにより、水栓本体から流入する温水を流水ホースに流入させる流入孔と、マット内のパイプを通って温水を排出させる排水ホースからの温水を排出し、吐水パイプの流入させるための吐水孔を設けると共に、水栓本体から流入する温水を直接吐水パイプに送る送水孔を設けたレバー本体と、レバー本体を内設すべく流入孔に連通する入孔及び出孔を設けると共に、吐水孔に連通する吐入孔及び吐出孔を設けてなり、上部に水栓本体との水栓連結部と下部に吐水パイプ連結部を設けてなる切替本体とからなることを特徴とする。
【発明の効果】
【０００９】１）、マットと切替器により構成され、切替レバーによりマット内に温水を入れ、マット内を温めると同時に、流水（温水）を吐水パイプから浴槽内に入れることができ、温水を有効利用できる。
２）、切替レバーにより、水栓から温水を直接浴槽内に入れることができる。
３）、夏場等においては、流入孔と吐水孔に栓をして使用することができる。
４）、切替器は、一般に市販されている混合水栓等の水栓本体と吐水パイプの連結部に取り付けられる。
５）、電気を使用しないため、漏電することなく安全に使用でき、新品時のユニットバスに取り付けて販売できるし、後付でもよい。
【図面の簡単な説明】
【００１０】
【図１】  本発明の一実施例を示す浴室用床暖房マットの切替レバーの一部縦断正面図。
【図２】  本発明の一実施例を示す浴室用床暖房マットの切替レバーの側面図。
【図３】  本発明の一実施例を示す浴室用床暖房マットの切替レバーのレバー本体の縦断正面図。
【図４】  本発明の一実施例を示す浴室用床暖房マットの切替レバーのレバー本体の側面図。
【図５】  本発明の一実施例を示す浴室用床暖房マットのマットの平面図。
【図６】  本発明の一実施例を示す浴室用床暖房マットにてマットに温水を流入した状態図。
【図７】  本発明の一実施例を示す浴室用床暖房マットにて直接吐水パイプに温水を流入した状態図。
【発明を実施するための形態】
【００１１】  本発明の浴室用床暖房マット１は、切替器２とマット３とより構成される。
切替器２は、Ｌ字形の切替レバー２ａ１により水栓本体（混合水栓等）から流入する温水を流入ホースに流入させるＬ字形の流入孔２ａ２とマット内パイプを通って温水を排出させる排水ホースから温水を排出し、吐水パイプに流入させるための逆Ｌ字形の吐水孔２ａ３を設けると共に、水栓本体から流入する温水を直接吐水パイプに送る送水孔２ａ４を設けてなるレバー本体２ａと、レバー本体２ａを内設すべく、流入孔２ａ２に連通する入孔２ｂ１及び出孔２ｂ２を設けると共に、吐水孔２ａ３に連通する吐入孔２ｂ３及び吐出孔２ｂ４を設けてなり、上部に水栓本体との水栓連結部２ｂ５と下部に吐水パイプ連結部２ｂ６を設けてなる切替本体２ｂとからなる。
【００１２】  マット３は、方形状のマット本体３ａ内にパイプ３ｂを蛇行状に形成し、保温材（蓄熱材）３ｃを設けてあり、流水ホース３ｄ及び排出ホース３ｅを設けてある。（図５）
【００１３】  上記浴室用床暖房マット１の使用例について説明する。
まず、マット３内に温水を流入する場合において、例えば混合水栓Ｋの水栓本体ＳＨ雄ネジ部Ｏに浴室用床暖房マット１の水栓連結部２ｂ５を螺入して取り付けると共に、吐水パイプ連結部２ｂ６に吐水パイプＴＳの回転雌ネジ部Ｍを螺入して取り付ける。
【００１４】  この状態で、切替器２の切替レバー２ａ１を垂直方向にすることにより、入孔２ｂ１と流入孔２ａ２と出孔２ｂ２が連通すると共に、吐入孔２ｂ３と吐水孔２ａ３と吐出孔２ｂ４が連通する。
その後、混合水栓Ｋの温水ＯＳが入孔２ｂ１・流入孔２ａ２・出孔２ｂ２に流入し、流入ホース３ｄよりマット３内のパイプ３ｂを通過し、内部（保温材３ｃ）を温め、排出ホース３ｅを通って、吐入孔２ｂ３・吐水孔２ａ３・吐出孔２ｂ４を通過し、吐水パイプＴＰより吐出し、浴槽内（図示せず）に温水を流入させる。（図６）
【００１５】  つぎに、切替器２の切替レバー２ａ１を水平方向にすることにより、温水ＯＳ１は入孔２ｂ１・送水孔２ａ４・吐水孔２ｂ４を通過して吐水パイプＴＰより同様に浴槽内に温水を流入させる。
このように、切替レバー２ａ１を切り替えることにより、用途に合せて変更できるものである。（図７）
【００１６】  上記の実施例において、材質や大きさ等は必要に応じて決めればよい。
また、切替器の構造は、同じ機能を有するものであれば多少の形状変更してもよい。
【符号の説明】
【００１７】１―――浴室用床暖房マット
２―――切替器
Ｋ―――混合水栓
ＳＨ――水栓本体
ＴＰ――吐水パイプ
【図１】
2019213834.tif 000003
【図２】
2019213834.tif 000004
【図３】
2019213834.tif 000005
【図４】
2019213834.tif 000006
【図５】
2019213834.tif 000007
【図６】
2019213834.tif 000008
【図７】
2019213834.tif 000009